(57)【特許請求の範囲】
【請求項１】
透析液を排出及び回収する装置を有する腹膜透析装置であって、
カテーテルを有する導管と、
透析液が導入される測定バッグと、
前記カテーテルと前記測定バッグとの間の前記導管内の静圧を測定する、第１の手段と、
透析液を一定時間、前記測定バッグへ導入する、第２の手段と、
前記測定バッグに導入された透析液の容積を決定する、第３の手段と、
前記静圧、前記時間、及び前記容積に基づいてカテーテル抵抗を計算する、第４の手段と、
を備えることを特徴とする、腹膜透析装置。
【請求項２】
請求項１に記載の腹膜透析装置であって、
前記第１の手段は、圧力センサを有することを特徴とする、腹膜透析装置。
【請求項３】
請求項１又は２に記載の腹膜透析装置であって、
前記第２の手段は、少なくとも一つの、時間制御可能な弁を有することを特徴とする、腹膜透析装置。
【請求項４】
請求項１〜３のいずれか一項に記載の腹膜透析装置であって、
前記第３の手段は、ポンプと、透析液の容積を決定する安定装置と、を有することを特徴とする、腹膜透析装置。
【請求項５】
請求項１〜４のいずれか一項に記載の腹膜透析装置であって、
前記カテーテルと前記測定バッグとの間の前記導管に、第１弁と、圧力センサと、ポンプと、第２弁と、が配置されていることを特徴とする、腹膜透析装置。
【請求項６】
請求項５に記載の腹膜透析装置であって、
第３弁が配置されたバイパス導管を有し、
前記バイパス導管は、前記第１弁の上流側の前記導管から分岐し、前記第２弁の下流側で前記導管に連通していることを特徴とする、腹膜透析装置。
【請求項７】
請求項２に記載の腹膜透析装置を用いて、カテーテル抵抗を自動的に決定する方法であって、
略水平にされた患者の腹腔内に前記カテーテルの一端が開口し、当該カテーテルの他端に、前記導管を介して、前記患者よりも下側に配置された前記測定バックが接続されている状態で、前記第１の手段が、前記患者の静圧を決定する工程と、
前記第２の手段が、重力により、前記患者から前記測定バッグへ透析液を一定時間導入する工程と、
透析液の流出が止まった状態で、前記圧力センサが、前記測定バッグの静圧を決定する工程と、
前記第３の手段が、前記測定バッグから透析液を排出することによって当該測定バッグに導入された透析液の容積を計測する工程と、
決定された前記患者及び前記測定バックの各静圧、導入された透析液の容積を用いて、前記第４の手段が、カテーテル抵抗を計算する工程と、
を備えることを特徴とする、方法。
【請求項８】
請求項７に記載の方法であって、
前記圧力センサは、前記導管に配置され、
前記腹膜透析装置は、
前記圧力センサよりも前記患者側の前記導管に配置された第１弁と、
前記圧力センサよりも前記測定バック側の前記導管に配置された第２弁と、
前記第１弁の上流側の前記導管から分岐して前記第２弁の下流側で前記導管に連通し、第３弁が配置されたバイパス導管と、
を有し、
前記患者の静圧を決定するときに、前記第２弁及び前記第３弁が閉じられた状態で前記第１弁が開けられることを特徴とする、方法。
【請求項９】
請求項８に記載の方法であって、
前記測定バックへの透析液の導入が、前記導管を経由するか、又は、前記バイパス導管を経由することによって行われることを特徴とする、方法。
【請求項１０】
請求項９に記載の方法であって、
前記測定バックへの透析液の導入時間は、完全に患者から透析液が排出されないように選択されることを特徴とする、方法。
【請求項１１】
請求項８〜１０のいずれか一項に記載の方法であって、
前記第１弁及び前記第３弁が閉じられた状態で、前記第２弁が開けられ、前記測定バッグの静圧が前記圧力センサによって測定されることを特徴とする、方法。
【請求項１２】
請求項７〜１０のいずれか一項に記載の方法であって、
前記腹膜透析装置は、ポンプ手段及び安定装置を有し、
前記ポンプ手段によって、透析液が前記測定バッグから排出され、前記安定装置によって、前記測定バッグに導入された透析液の容量が決定されることを特徴とする、方法。
【発明の詳細な説明】
【技術分野】
【０００１】
本発明は、透析液を排出及び回収する標準的な装置を有し、カテーテルを含む導管を備えた、腹膜透析装置に関する。
【背景技術】
【０００２】
腹膜透析とは、人工的な血液透析の一種である。腹膜透析においては、患者の腹膜が、身体自身の透析膜として使用される。この腹膜には、血液が豊富に供給されている。透析液は、カテーテルによって腹腔内に導入される。すると、浸透原理に従って、尿の成分が血液中から除去されて、腹腔内に浸入する。そして、数時間後に、尿の成分が含まれる透析液を腹腔から排出する。
【０００３】
一般的に、腹膜透析を行う場合、いくつかの選択肢がある。持続的携行式腹膜透析（ＣＡＰＤ）の場合には、患者自身が透析液を１日に約４、５回交換しなくてはならない。一方、自動腹膜透析（ＡＰＤ）の場合には、サイクラーと呼ばれる装置が、夜中に、自動的に袋交換を行うため、日中には、患者は自立することができる。
【０００４】
自動腹膜透析においては、サイクラーによって透析液が腹腔に充填され、充填される容積を制御して、最大の充填容積のみが患者に供給される。例えば、平均的な大人での最大の充填容積は３，５００ｍｌである。一般的に、各々の患者固有の充填容積を実験的に求めることは避けられており、充填容積としては標準値が用いられている。
【０００５】
腹膜透析においては、患者自身が自分の身体の腹腔にアクセスしなくてはならない。すなわち、いわゆる患者カテーテルを用いて、透析液の交換を行う必要がある。この患者カテーテルの一方の端部は、患者の腹腔内へ開口しており、他方の端部（患者の外側）には、患者コネクタが備えられていて、導管システムに接続できるようになっている。時間が経つと、患者カテーテルが堆積物で詰まり、その機能が低下する。
【０００６】
患者カテーテルの機能低下を防ぐため、従来は、主治医が手作業で、カテーテル抵抗を操作していた。カテーテル抵抗のための特性値は、一定容積の流体が排出されるのに要する時間から計算される。
【発明の概要】
【発明が解決しようとする課題】
【０００７】
本発明の課題は、カテーテル抵抗を自動的に決定することができる腹膜透析装置を実現することにある。
【課題を解決するための手段】
【０００８】
本発明によれば、この課題は、請求項１の各構成の組み合わせによって解決することができる。すなわち、そこには、透析液の排出及び回収を行う標準的な腹膜透析用の装置（いわゆるサイクラー）と、カテーテルを有する導管とが備えられている。本発明では更に、サイクラーに測定バッグが設けられ、この測定バッグに透析液が導入される。また、本発明には、カテーテルと測定バッグとの間の導管内の静圧を決定する第１の手段が備えられている。さらに、一定時間、透析液を測定バッグに導入する第２の手段が備えられている。そして、本発明には、測定バッグに導入された透析液の容積を決定する第３の手段、及び、第１から第３の手段によって決定された値に基づいてカテーテル抵抗を実際に計算する第４の手段が備えられている。
【０００９】
本発明の好ましい観点は、メインクレームに従属するサブクレームから得ることができる。
【００１０】
すなわち、第１の手段は圧力センサを有し、これにより静圧を決定することができる。
【００１１】
第２の手段は、有利には、少なくとも一つの時間制御可能な弁を有し、弁の自動調整手段により、所定の測定時間の間、測定バッグに透析液を導入する。
【００１２】
第３の手段は、ポンプ及び安定装置を有していることが好ましい。第３の手段は、透析液を測定バッグから排出して安定装置内を通過させることにより、測定バッグに集められた透析液の容積を決定する。
【００１３】
有利には、第１弁、圧力センサ、ポンプ、第２弁が、カテーテルと測定バッグとの間の導管に、直列に配置されている。
【００１４】
特に有利には、第３弁が配置されたバイパス導管が、第１弁の上流側の導管から分岐している。このバイパス導管は、第２弁の下流側において再度導管に接続されている。
【００１５】
本発明の装置を用いることにより、カテーテル抵抗を自動的に測定することができる。以前決定された期待値からのずれに対応するため、処理開始時のカテーテル抵抗をチェックすることが考えられる。また、測定した数回分のカテーテル抵抗を蓄積しておくことにより、カテーテルの性能変化に関する情報を得ることができる。これは、例えば、処理前に各々決定された一連の測定値であってもよい。このような一連の測定値を患者カードに記録しておけば、各処置前に、実際の測定値と比較することができる。
【００１６】
本発明の装置を用いることにより、カテーテル抵抗は、重量測定法により以下のように決定される。
【００１７】
第１工程：患者を略水平にし、患者の静圧を決定する。
【００１８】
第２工程：患者を測定バッグの上方に位置させて、重力により、患者から前記測定バッグへ透析液を排出する。
【００１９】
第３工程：一定時間の経過後、透析液の流出を止めて、前記測定バッグを略水平にし、前記測定バッグの静圧を決定する。
【００２０】
第４工程：前記測定バッグから排出するときに、当該測定バッグの内容物の容積を計測する。
【００２１】
第５工程：決定された容積及び時間に関するパラメータから、カテーテル抵抗を計算する。
【図面の簡単な説明】
【００２２】
【図１】本発明の装置を示す概略図である。
【発明を実施するための形態】
【００２３】
本発明のさらなる詳細及び利点は、図示された実施形態を参照して詳述される。
【００２４】
図は、本発明にかかる装置を概略的に示しているだけであり、装置の説明にとって機能的に必要な構成要素のみが象徴で示されている。
【００２５】
図示された実施形態において、患者Ｐには、十分量の透析液が充填されており、その量は、例えば、２，０００ｍｌである。
【００２６】
患者Ｐは、透析液を排出及び回収するための標準的な装置である、いわゆるサイクラー１０に接続されている。サイクラー１０には、容積の知られた測定バッグ１２が接続されている。測定バッグ１２は、患者よりも下側（低い位置）に配置されている。図示された実施形態において、測定開始時の測定バッグ１２の容積は、０ｍｌである。測定バッグ１２は、導管１４を介して患者カテーテル１１４に接続されている。この導管システムの流れ抵抗は既知である。図示された実施形態において、この流れ抵抗（患者カテーテル１１４の流れ抵抗を除く）は、Ｒsystem＝０．２ｍｂａｒ・ｍｉｎ／ｍｌである。
【００２７】
以下の実施形態において説明される測定が行われる間、測定バッグ１２に対する患者Ｐの位置は、一定であることが好ましい。
【００２８】
まず最初に、患者Ｐの静圧が決定される。そのために、第２弁１８及び第３弁２０を閉じた状態で第１弁１６が開かれる。図示された実施形態において、この患者Ｐの静圧はＰpat stat＝３０ｍｂａｒである。
【００２９】
抵抗を決定するため、重量測定法によって、すなわち重力に従って、患者Ｐから測定バッグ１２へ、一定時間Ｘだけ透析液が排出される。これは、第１弁１６、導管に配置されたポンプ２２のポンプ室、及び、その他方に配置された第２弁１８を経由して行われるか、又は、バイパス導管２４、及びこの導管に配置された第３弁２０を経由して行われる。このとき、患者の腹腔が完全に空にならないような時間Ｘが選択される。図示された実施形態においては、最大の体積流量として３００ｍｌ／ｍｉｎが想定されている。良好な測定結果を得るためには、測定時間Ｘは３分とするのがよい。これより、約９００ｍｌの測定バッグの好ましい総容積が導かれ、患者の腹腔が完全に空になるのを阻止できる。
【００３０】
次の工程では、測定バッグの静圧が決定される。そのために、第１弁１６及び第３弁２０を閉じた状態で第２弁１８が開かれる。導管１４に配置された圧力センサ２４を用いて、測定バッグ１２の静圧が測定される（その前に患者の静圧は測定されている。）。図示された実施形態において、静圧は、Ｐbag stat＝７０ｍｂａｒである。
【００３１】
排出された透析液の容積を求めるため、ポンプ２２を用い、測定バッグ１２から流路（不図示）を通じて排出口Ｄ（不図示、矢印を参照）へ透析液を排出し、そして、安定装置（不図示）を用いて計測する。本実施形態において、実際に測定バッグ１２から計測された容積Ｖbagは、６００ｍｌである。
【００３２】
測定及び決定された値から、患者カテーテル１１４の抵抗が、以下のようにして計測装置（不図示）を用いて計算される。
【００３３】
第１ステップ：患者と測定バッグとの間の圧力差の計算
Pstat total=Ppat stat+|Pbag stat|=30mbar+|-70mbar|=100mbar
第２ステップ：流速の計算
Q=Vbag/T=600ml/3min=200ml/min
第３ステップ：患者カテーテルの抵抗を含む系全体の導管抵抗の計算
R=Pstat total/Q=100mbar/200ml/min=0.5mbar・min/ml
第４ステップ：患者カテーテルの抵抗の計算
Rcatheter=R-Rsystem=0.5mbar・min/ml-0.2mbar・min/ml
Rcatheter=0.3mbar・min/ml
【図１】
0005553829.tif 000002